(57)【要約】【課題】安価な構成で快適な被調和室内環境を提供できる空気調和機を提供する。【解決手段】圧縮機４、室内熱交換器１２ａ、１２ｂ、室外熱交換器７、膨張弁６を有する冷凍サイクルと、室内温度が設定温度に至るように圧縮機４を制御する室外制御部２０を有する空気調和機において、被調和室の室内温度が設定温度に略一致した時の空気調和機が被調和室に投入している投入熱量（Ｑ１）と、熱貫流率（Ｎ）＊（室内温度と室外温度の温度差）で算出される被調和室から流出している流出熱量（Ｑ２）の差（Ｑ１−Ｑ２）に応じて、設定温度に所定の温度補正を行うもので、投入熱量（Ｑ１）と流出熱量（Ｑ２）の差により、被調和室の床や壁などに吸収されている熱量を簡易的に知り、それに応じて設定温度を補正するので、暖房時は壁や床の冷輻射による寒い状況を緩和し、冷房時にはまだ冷えていない壁や床の影響を受け暑く感じることを緩和して快適な環境を提供できる。【選択図】図１
2009121700.tif 000002
【特許請求の範囲】
【請求項１】
圧縮機、室内熱交換器、室外熱交換器、膨張弁を有する冷凍サイクルと、被調和室の室内温度がユーザーによって設定された設定温度に至るように前記圧縮機の運転能力を自動調整する制御部と、前記被調和室の室内温度を検出する吸込センサと、室外温度を検出する外気温センサと、前記室内熱交換器に空気を通過させるための室内ファンを有する空気調和機において、前記被調和室の室内温度が設定温度に略一致した時の空気調和機が前記被調和室に投入している投入熱量（Ｑ１）と、熱貫流率（Ｎ）＊（室内温度と室外温度の温度差）で算出される前記被調和室から流出している流出熱量（Ｑ２）の差（Ｑ１−Ｑ２）に応じて、前記設定温度に所定の温度補正を行うことを特徴とした空気調和機。
【請求項２】
被調和室の室内温度及び空気調和機から前記被調和室に投入される投入熱量（Ｑ１）が略一定となる安定状態では、前記投入熱量（Ｑ１）と、室内温度と室外温度の温度差（ΔＴ１）を算出し、熱貫流率（Ｎ）を、前記投入熱量（Ｑ１）を前記温度差（ΔＴ１）で除算して算出するようにした請求項１に記載の空気調和機。
【請求項３】
室内ファンの回転数を検出する室内ファン回転数検出手段と、室内熱交換器の温度を検出する室内配管温度センサを設け、風量（Ｆ）を下記式（１）で算出し、暖房運転時、冷房運転時のそれぞれの投入熱量（Ｑ１）を、それぞれ下記式（２）及び（３）で簡略的に計算することを特徴とした請求項２に記載の空気調和機。
Ｆ＝室内ファンの回転数＊Ａ＋Ｂ                  （Ａ、Ｂは所定の定数）…（１）
Ｑ１＝（室内熱交換器の温度−室内温度）＊Ｆ＊Ｃ  （Ｃは所定の定数）    …（２）
Ｑ１＝（室内温度−室内熱交換器の温度）＊Ｆ＊Ｄ  （Ｄは所定の定数）    …（３）
【請求項４】
設定温度に所定の温度補正を行った後、所定時間後に前記温度補正を解除することを特徴とした請求項１〜３のいずれか１項に記載の空気調和機。
【請求項５】
設定温度に所定の温度補正を行った後、投入熱量（Ｑ１）と流出熱量（Ｑ２）が略一致した場合に、前記温度補正を解除することを特徴とする請求項１〜３のいずれか１項に記載の空気調和機。
【発明の詳細な説明】
【技術分野】
【０００１】
本発明は、空気調和機に関するものである。
【背景技術】
【０００２】
従来の空気調和機として、室温と設定温度との偏差からゾーンを定め、各ゾーンと運転周波数を対応付けるテーブルを持つことで、例えば、立ち上り時、偏差が大きいゾーンでは高周波数で運転をおこない、室温が安定してきたら、つまり偏差の小さいゾーンでは、低周波数で運転を行なって、被調和室の空気温度を一定に保つようにしたものがあった（例えば、特許文献１参照）。
【０００３】
図４は、上記特許文献１に記載された従来の空気調和機の周波数制御のブロック図を示すものである。図４において、従来の空気調和機は、吸込温度を検出する吸込温度検出手段４７と、ユーザーによりリモコン（図示せず）で設定された設定温度を検出するリモコン設定温度検出手段４９と、吸込温度検出手段４７で検出された吸込温度と、リモコン設定温度検出手段４９で検出された設定温度との偏差値を検出する偏差検出手段５０と、周波数テーブル５１とを備え、周波数テーブル５１より、前記偏差値に応じた出力周波数で圧縮機（図示せず）を運転するようにしている。
【特許文献１】特公昭６０−１２５３２号公報
【発明の開示】
【発明が解決しようとする課題】
【０００４】
しかしながら、上記従来の空気調和機の構成では、被調和室の空気温度だけを考慮し、圧縮機の運転能力を調整するので、壁や床温度がまだ設定温度に達していない状態では、暖房であれば寒かったり、冷房であれば暑かったりするという課題があった。
【０００５】
本発明は、上記従来の課題を解決するもので、安価な構成で、ユーザーに快適な被調和室内環境を提供することができる空気調和機を提供することを目的とするものである。
【課題を解決するための手段】
【０００６】
前記従来の課題を解決するために、本発明の空気調和機は、圧縮機、室内熱交換器、室外熱交換器、膨張弁を有する冷凍サイクルと、被調和室の室内温度がユーザーによって設定された設定温度に至るように前記圧縮機の運転能力を自動調整する制御部と、前記被調和室の室内温度を検出する吸込センサと、室外温度を検出する外気温センサと、前記室内熱交換器に空気を通過させるための室内ファンを有する空気調和機において、前記被調和室の室内温度が設定温度に略一致した時の空気調和機が前記被調和室に投入している投入熱量（Ｑ１）と、熱貫流率（Ｎ）＊（室内温度と室外温度の温度差）で算出される前記被調和室から流出している流出熱量（Ｑ２）の差（Ｑ１−Ｑ２）に応じて、前記設定温度に所定の温度補正を行うもので、投入熱量と流出熱量の差の算出によって、被調和室の床や壁などに吸収されている熱量を簡易的に知ることができ、それに応じて、設定温度に補正を行うことで、暖房時であれば壁や床の冷輻射によっての寒い状況を緩和することができ、冷房時であればまだ冷えていない壁や床の影響を受け暑く感じることを緩和することができ、快適な環境を提供できる。
【発明の効果】
【０００７】
本発明の空気調和機は、簡易的に輻射熱を予測し、設定温度に補正を加えることで、ユーザーに快適な被調和室内環境を提供できる。また、輻射センサなどを用いずに簡易的に輻射熱を予測できるので、輻射センサなどを搭載することで生じる、コストも節約できる
。
【発明を実施するための最良の形態】
【０００８】
第１の発明は、圧縮機、室内熱交換器、室外熱交換器、膨張弁を有する冷凍サイクルと、被調和室の室内温度がユーザーによって設定された設定温度に至るように前記圧縮機の運転能力を自動調整する制御部と、前記被調和室の室内温度を検出する吸込センサと、室外温度を検出する外気温センサと、前記室内熱交換器に空気を通過させるための室内ファンを有する空気調和機において、前記被調和室の室内温度が設定温度に略一致した時の空気調和機が前記被調和室に投入している投入熱量（Ｑ１）と、熱貫流率（Ｎ）＊（室内温度と室外温度の温度差）で算出される前記被調和室から流出している流出熱量（Ｑ２）の差（Ｑ１−Ｑ２）に応じて、前記設定温度に所定の温度補正を行うもので、投入熱量と流出熱量の差の算出によって、被調和室の床や壁などに吸収されている熱量を簡易的に知ることができ、それに応じて、設定温度に補正を行うことで、暖房時であれば壁や床の冷輻射によっての寒い状況を緩和することができ、冷房時であればまだ冷えていない壁や床の影響を受け暑く感じることを緩和することができ、快適な環境を提供できる。
【０００９】
第２の発明は、特に、第１の発明の被調和室の室内温度及び空気調和機から前記被調和室に投入される投入熱量（Ｑ１）が略一定となる安定状態では、前記投入熱量（Ｑ１）と、室内温度と室外温度の温度差（ΔＴ１）を算出し、熱貫流率（Ｎ）を、前記投入熱量（Ｑ１）を前記温度差（ΔＴ１）で除算して算出するようにしたもので、それぞれの被調和室に応じて、適切な流出熱量を算出することができ、より正確な輻射熱の予測が可能となる。
【００１０】
第３の発明は、特に、第２の発明の空気調和機に室内ファンの回転数を検出する室内ファン回転数検出手段と、室内熱交換器の温度を検出する室内配管温度センサを設け、風量（Ｆ）を下記式（１）で算出し、暖房運転時、冷房運転時のそれぞれの投入熱量（Ｑ１）を、それぞれ下記式（２）及び（３）で簡略的に計算するもので、特別な情報・手段がなくても通常空気調和機が取得できる情報の範疇で熱貫流率が計算できるので、余分な機構や機能を必要とせず、簡略的な熱貫流率を算出することができ、コストの節約が可能である。
Ｆ＝室内ファンの回転数＊Ａ＋Ｂ                  （Ａ、Ｂは所定の定数）  …（１）Ｑ１＝（室内熱交換器の温度−室内温度）＊Ｆ＊Ｃ  （Ｃは所定の定数）      …（２）Ｑ１＝（室内温度−室内熱交換器の温度）＊Ｆ＊Ｄ  （Ｄは所定の定数）      …（３）
【００１１】
第４の発明は、特に、第１〜３のいずれか一つの発明の設定温度に所定の温度補正を行った後、所定時間後に前記温度補正を解除するもので、設定温度を補正したことによって生じる、暖房であれば暑すぎる状況、冷房であれば寒すぎる状況を回避することができ、ユーザーに快適な環境を提供することができる。
【００１２】
第５の発明は、特に、第１〜３のいずれか一つの発明の設定温度に所定の温度補正を行った後、投入熱量（Ｑ１）と流出熱量（Ｑ２）が略一致した場合に、前記温度補正を解除するもので、設定温度を補正したことによって生じる、暖房であれば暑すぎる状況、冷房であれば寒すぎる状況を回避することができ、ユーザーに快適な環境を提供することができる。
【００１３】
以下、本発明の実施の形態について、図面を参照しながら説明する。なお、この実施の形態によって本発明が限定されるものではない。
【００１４】
（実施の形態１）
本発明の第１の実施の形態における空気調和機について、図１〜３を用いて説明する。
【００１５】
図１は、本実施の形態における空気調和機の概略図を示すものである。
【００１６】
図１において、空気調和機１は、室外機２と、室外機２に接続された室内機３で構成され、室外機３には、圧縮機４と、四方弁５と、膨張弁６と、室外熱交換器７と、室外ファン８と、吐出温センサ９と、室外配管温センサ１０と、室外温度を検知する外気温センサ１１が設けられている。
【００１７】
室内機３には、２台の室内熱交換器１２ａ、１２ｂと、室内ファン１３と、室内熱交換器１２ｂの温度を検出する室内配管温度センサ１７と、被調和室（図示せず）の室内温度を検知する吸込センサ１８と、室内ファン１３の回転数を検出する室内ファン回転数検出手段２４が設けられており、室外機２と室内機３が冷凍サイクルを形成するように接続され、四方弁５を切り替えることによって冷房運転と暖房運転ができるようになっている。
【００１８】
また、室外機２、室内機３には、制御部として、圧縮機４などを制御する室外制御部２０と室内制御部２１とがそれぞれ設けられており、両制御部２０、２１は、接続線２６によって接続されている。室内制御部２１には、室内機３の外に設けられたリモコン２３から送信される赤外線信号を受信する受信部２２を有しており、ユーザーが、リモコン２３上で、室内温度の設定など様々な操作をおこなうことが可能となっている。また、両制御部２０、２１はそれぞれ、数値計算を実行したり、数値計算した計算結果を記憶する手段（図示せず）を有する。
【００１９】
以上のように構成された本実施の形態における空気調和機について、以下にその動作、作用を説明する。
【００２０】
図２は、本実施の形態における空気調和機の暖房運転時のフローチャートである。
【００２１】
まず、図２において暖房運転が行われると、ステップ２１（「ＳＰ２１」という、以下同じ）において、被調和室の室内温度が、ユーザーが設定した設定温度に略一致したかどうかの判断が行われ、そうであればＳＰ２２に、そうでなければ暖房運転に戻る。ＳＰ２２において、投入熱量（Ｑ１）と流出熱量（Ｑ２）の差を算出し、それに応じて設定温度の補正値を決定し、設定温度に補正を行いＳＰ２３に進む。
【００２２】
本実施の形態では、暖房時、冷房時のそれぞれの投入熱量（Ｑ１）を、以下のように簡略的に計算して算出している。
Ｆ＝室内ファン１３の回転数＊Ａ＋Ｂ    （Ａ、Ｂは、所定の定数）
Ｑ１＝（室内熱交換器の温度−室内温度）＊Ｆ＊Ｃ  （Ｃは所定の定数）・・暖房時、
Ｑ１＝（室内温度−室内熱交換器の温度）＊Ｆ＊Ｄ  （Ｄは所定の定数）・・冷房時。
【００２３】
また、流出熱量（Ｑ２）は、以下の式で算出している。
Ｑ２＝熱貫流率（Ｎ）＊（室内温度と室外温度との差）
【００２４】
なお、被調和室の室内温度が略一定、かつ空気調和機から投入される投入熱量（Ｑ１）が略一定となる安定状態では、熱貫流率（Ｎ）を以下の式より算出するようにしている。熱貫流率（Ｎ）＝Ｑ１／（室内温度と室外温度との差（ΔＴ））
【００２５】
そして、ＳＰ２３において、補正を実行して所定時間が経過したかどうかの判断が行われ、そうであればＳＰ２５に進み、そうでなければＳＰ２４に進む。ＳＰ２４において、投入熱量（Ｑ１）と流出熱量（Ｑ２）は略一致かどうかの判断が行われ、そうであればＳＰ２５に進み、そうでなければＳＰ２３に進む。ＳＰ２５において、補正を解除し暖房運
転継続する。
【００２６】
ここで、以上のように図２の制御を実行した場合の効果を図３に示す。
【００２７】
設定温度に達した段階で、通常制御は、室温を維持しており、床壁温度がなかなか暖まらないのに対して、設定温度補正制御場合は、床温度がすばやく暖まり、冷輻射の影響を受けにくく、快適な状態であることがいえる。
【００２８】
上記実施の形態では、投入熱量（Ｑ１）と流出熱量（Ｑ２）の差を算出し、それに応じて設定温度の補正値を決定し、設定温度に補正を加えるようにしたが、差が大きければ補正も大きく、差が小さければ補正も小さくするなどすればよい。
【００２９】
尚、冷房運転時の実施の形態は示さないが、暖房運転と同様に制御することで同様の効果を得ることができる。
【産業上の利用可能性】
【００３０】
以上のように、本発明にかかる空気調和機は、簡易的に輻射熱を予測し、設定温度に補正を加え、また所定の条件を満たした場合それを解除することで、ユーザーに快適な被調和室内環境を提供できる。また、輻射センサなどを用いずに簡易的に輻射熱を予測するので、輻射センサなどを搭載することで生じる、コストも節約できるので、種々の空気調和機に適用できる。
【図面の簡単な説明】
【００３１】
【図１】本発明の実施の形態１における空気調和機の概略図
【図２】同空気調和機の暖房運転時のフローチャート
【図３】本発明の実施の形態１における効果を示した図
【図４】従来の空気調和機の周波数制御のブロック図
【符号の説明】
【００３２】
１  空気調和機
２  室外機
３  室内機
４  圧縮機
５  四方弁
６  膨張弁
７  室外熱交換器
８  室外ファン
９  吐出温センサ
１０  室外配管温センサ
１１  外気温センサ
１２ａ、１２ｂ  室内熱交換器
１３  室内ファン
１７  室内配管温度センサ
１８  吸込センサ
２０  室外制御部（制御部）
２１  室内制御部（制御部）
２２  受信部
２３  リモコン
【図１】
2009121700.tif 000003
【図２】
2009121700.tif 000004
【図４】
2009121700.tif 000005
【図３】
2009121700.tif 000006